(57)【要約】【課題】  従来例では、通話専用のハンドセットでも受信切替のための信号検知をおこなったり、外付け電話機で通話中の場合には電話番号入力待ち状態となり送信予約等のファクスの操作ができない、複数電話機が接続できるにもかかわらず電話機全てがハンドセット扱いの装置などがあった。【解決手段】  接続電話機を「ハンドセット」又は「外付け電話機」のどちらかに設定する設定手段を設け、夫々の設定では必要な検出機能及び操作系のみを可能とする。【選択図】  図１
2006295791.tif 000002
【特許請求の範囲】
【請求項１】
ハンドセットを接続可能なファクシミリ装置において、
ハンドセットオフフック時に回線を捕捉する手段、
ハンドセットオフフック時に回線捕捉状態であることを示す表示手段、
ハンドセットオフフック時にファクシミリ装置本体操作部を使用して即時ダイヤルする手段と即時ダイヤル操作可能を示す表示手段、
ハンドセットオフフック時に通信開始キーの操作により通信を開始する手段
前記通信開始キーによる通信中は、前記操作部の通信中断を指示するキー以外の回線操作に関する操作部の使用を禁止する手段、
を制御するハンドセット制御手段を持つことを特徴とする通信端末装置。
【請求項２】
外付け電話を接続可能なファクシミリ装置において、
外付け電話オフフック時に回線を捕捉する手段、
外付け電話オフフック時に回線捕捉状態であることを示す表示手段、
外付け電話オフフック時に通信予約およびメモリ蓄積を可能とする手段と通信予約およびメモリ蓄積可能なことを示す表示手段、
外付け電話オフフック時に、外付け電話機からの通信開始指示およびファクシミリ信号検知により通信を開始する手段、
前記通信開始手段による通信中は、前記操作部の通信予約およびメモリ蓄積を可能とする手段と通信予約およびメモリ蓄積可能なことを示す表示手段、
を制御する外付け電話制御手段を持つことを特徴をする通信端末装置。
【請求項３】
ハンドセット又は外付け電話機を接続可能なファクシミリ装置において、
前記ハンドセット制御手段と前記外付け電話制御手段のどちらで接続可能な電話機を制御するかを設定する電話機制御方式設定手段を有し、
前記電話機制御方式設定手段により、「ハンドセット」が設定された場合には前記ハンドセット制御手段により接続電話を制御し、「外付け電話」が設定された場合には前記外付け電話制御手段により接続電話を制御することを特徴とする通信端末装置。
【請求項４】
２つの電話機を接続可能なファクシミリ装置において、
２つの接続電話のオフフックを別々に検知する手段を有し、
一方を前記ハンドセット制御手段で制御し、他方を前記外付け電話制御手段で制御することを特徴とする通信端末装置。
【請求項５】
２つの電話機を接続可能なファクシミリ装置において、
２つの接続電話のオフフックを別々に検知する手段を有し、
予め決められた接続端子側について前記請求項３の電話制御方式設定手段を制御することを特徴とする通信端末装置。
【請求項６】
２つの電話機を接続可能なファクシミリ装置において、
２つの接続電話のオフフックを別々に検知する手段を有し、
任意の接続端子について前記請求項３の電話制御方式設定手段を制御することを特徴とする通信端末装置。
【発明の詳細な説明】
【技術分野】
【０００１】
本発明は、ファクシミリ装置に接続される電話機の使用形態にあわせた接続電話機制御方式の設定手段と制御方法に関するものである。
【背景技術】
【０００２】
従来、ファクスに接続される電話機には、受話器のみのハンドセットや市販の留守番電話機などがあり、接続される電話機がハンドセットか外付け電話機であるかはユーザの使用形態により異なる。また、接続可能な電話機の数も複数接続可能な場合ある。
【０００３】
又、従来例としては、例えば特許文献１をあげることが出来る。
【特許文献１】特開2000-059488号公報
【発明の開示】
【発明が解決しようとする課題】
【０００４】
しかしながら、上記従来例では、通話専用のハンドセットでも受信切替のための信号検知をおこなったり、外付け電話機で通話中の場合には電話番号入力待ち状態となり送信予約等のファクスの操作ができない、複数電話機が接続できるにもかかわらず電話機全てがハンドセット扱いの装置などがあった。
【課題を解決するための手段】
【０００５】
以上の課題を解決するために本発明によれば、
（１）ハンドセットを接続可能なファクシミリ装置において、
ハンドセットオフフック時に回線を捕捉する手段、
ハンドセットオフフック時に回線捕捉状態であることを示す表示手段、
ハンドセットオフフック時にファクシミリ装置本体操作部を使用して即時ダイヤルする手段と即時ダイヤル操作可能を示す表示手段、
ハンドセットオフフック時に通信開始キーの操作により通信を開始する手段
前記通信開始キーによる通信中は、前記操作部の通信中断を指示するキー以外の回線操作に関する操作部の使用を禁止する手段、
を制御するハンドセット制御手段を持つ。
【０００６】
（２）外付け電話を接続可能なファクシミリ装置において、
外付け電話オフフック時に回線を捕捉する手段、
外付け電話オフフック時に回線捕捉状態であることを示す表示手段、
外付け電話オフフック時に通信予約およびメモリ蓄積を可能とする手段と通信予約およびメモリ蓄積可能なことを示す表示手段、
外付け電話オフフック時に、外付け電話機からの通信開始指示およびファクシミリ信号検知により通信を開始する手段、
前記通信開始手段による通信中は、前記操作部の通信予約およびメモリ蓄積を可能とする手段と通信予約およびメモリ蓄積可能なことを示す表示手段、
を制御する外付け電話制御手段を持つ。
【０００７】
（３）ハンドセット又は外付け電話機を接続可能なファクシミリ装置において、
前記ハンドセット制御手段と前記外付け電話制御手段のどちらで接続可能な電話機を制御するかを設定する電話機制御方式設定手段を有し、
前記電話機制御方式設定手段により、「ハンドセット」が設定された場合には前記ハンドセット制御手段により接続電話を制御し、「外付け電話」が設定された場合には前記外付け電話制御手段により接続電話を制御する。
【０００８】
（４）２つの電話機を接続可能なファクシミリ装置において、
２つの接続電話のオフフックを別々に検知する手段を有し、
一方を前記ハンドセット制御手段で制御し、他方を前記外付け電話制御手段で制御することを特徴とするファクシミリ装置。
【０００９】
（５）２つの電話機を接続可能なファクシミリ装置において、
２つの接続電話のオフフックを別々に検知する手段を有し、
予め決められた接続端子側について前記請求項３の電話制御方式設定手段を制御する。
【００１０】
（６）２つの電話機を接続可能なファクシミリ装置において、
２つの接続電話のオフフックを別々に検知する手段を有し、
任意の接続端子について前記請求項３の電話制御方式設定手段を制御する。
【００１１】
手段を採用した。
【発明の効果】
【００１２】
以上説明したように本発明を採用すると、使用者の用途に合った電話機が接続でき、信号誤検知やオペミスによる不要なファクス受信を避けることができる。また、外付け電話機接続を選択した場合には、通話中により回線使用中であってもファクス通信予約等が可能となるという効果がある。
【発明を実施するための最良の形態】
【００１３】
（実施例１）
以下、図１、図２に示す実施例に基づき、本発明を詳細に説明する。
【００１４】
図１は、本発明における通信装置のブロック図である。
【００１５】
図１において、
１０１：ＣＰＵは、システム制御部であり、装置全体を制御する。
【００１６】
１０２：ＲＯＭは、ＣＰＵの制御プログラムを格納するものである。
【００１７】
１０３：ＲＡＭは、ＳＲＡＭ等で構成され、画像データを蓄積する為のものである。
【００１８】
１０４：蓄積メモリは、ＤＲＡＭ等で構成され、画像データを蓄積する為のものである。
【００１９】
１０５：解像度変換処理部は、ラスタデータのミリ−インチ解像度変換等の解像度変換制御を行うものである。
【００２０】
１０６：読取・記録用符号化復号化処理部（読取・記録用コーデック）は、通信装置で扱う画像データの符号化復号化処理を行う。
【００２１】
１０７：時計部は、動作間隔等を計測し、ＩＣ等で構成される。
【００２２】
１０８：モデムは、回線からの変調された信号を復調したり、逆に装置からの信号を変調し回線に送出するものである。
【００２３】
１０９：回線ｉ／ｆ部は、ＮＣＵ等で構成される制御部である。電話機の接続端子が２個の場合には、夫々の端子でオフフック／オンフック検知をするために接続端子毎にフック検知回路を有する。
【００２４】
１１０：ハンドセットは、回線ｉ／ｆ部（ＮＣＵ）を通して電話回線に接続される受話器（ダイヤラを持たない電話機）である。
【００２５】
１１１：外付け電話機は、回線ｉ／ｆ部（ＮＣＵ）を通して電話回線に接続される電話機（留守番電話機等）である。
【００２６】
１１２：電話回線等の公衆回線である。
【００２７】
１１３：画像処理部は、スキャナによって読み込まれた画像データに補正処理を施して高精細な画像データを出力するものである。
【００２８】
１１４、１１５：シートスキャナ、ブックスキャナは、ＣＳイメージセンサ、原稿搬送機構などで構成され、原稿を光学的に読み取って電気的な画像データに変換するものである。両面原稿の読み取りを行う。
【００２９】
１１６：操作部は、キーボード、表示部等で構成され、オペレータが各種入力操作を行うためのものである。ハンドセットがオフフック時に即時ダイヤル操作可能を示し。また、外付け電話機がオフフック時には、通信中であることの表示及び通信予約受け付け可能なことを表示する。
【００３０】
１１７：ラインバッファは。画像データの転送制御を行う場合に使用するするラインバッファである。
【００３１】
１１８：プリントバッファは、印字用文字コードを格納する為の１ページ分のバッファメモリである。
【００３２】
１１９：プリンタは、受信画像やファイルデータを普通紙に記録するＬＢＰ等のプリンタであり、両面記録を行うことができる。
【００３３】
図２は、電話機接続端子を２つ持ち、各々の端子でフック検知回路を持つ場合に、予め決められた接続端子について「ハンドセット」又は「外付け電話」扱いのＳＷを設けた場合の実施例である。
【００３４】
待機中に（Ｓ１）で接続端子に接続された電話機がオフフックされたかどうか判断します。オフフックされた場合には、オフフックされた接続端子のポートを判断し（Ｓ２）、Hook2ポート（外付け電話機専用ポート）の場合には、（Ｓ５）で外付け電話制御処理を行い、Hook1ポート（ハンドセット／外付け電話機を切り替えて使用可能なポート）の場合には、Hook1ポートをハンドセットモードで使用するかどうかのユーザＳＷを参照してHook1ポートの動作モードを選択し、ハンドセットモードだった場合には（Ｓ４）でハンドセット制御処理を行い、ハンドセットモードでない（外付け電話機モード）の場合には（Ｓ５）にて外付け電話機制御処理を行う。
【図面の簡単な説明】
【００３５】
【図１】本発明の実施例に係わるファクシミリ装置の構成を示すブロック図である。
【図２】本発明の実施例における、予め決められた接続端子について「ハンドセット」又は「外付け電話」扱いのＳＷを設けた場合のフローチャート。
【符号の説明】
【００３６】
101  ＣＰＵ
102  ＲＯＭ
103  ＲＡＭ
104  蓄積メモリ（画像メモリ）
105  解像度変換処理部
106  読取記録用符号化複
107  時計部
108  モデム
109  ＮＣＵ（回線ｉｆ部）
110  ハンドセット
111  外付け電話機
112  回線
113  画像処理部
114  シートスキャナ
115  ブックスキャナ
116  操作部
117  ラインバッファ
118  プリントバッファ
119  プリンタ
【図１】
2006295791.tif 000003
【図２】
2006295791.tif 000004